(57)【要約】【課題】  広い周波数範囲にわたって大きなノイズ減衰特性を有するフィルタ素子を得る。【解決手段】  基板１１０の少なくとも一方の面に、ともに帯状をなす一対の第１導体（信号導体パターン）１２１と第２導体（接地導体パターン）１２２とを所定の間隔をもって隣接して螺旋状に形成してなる平面コイル素子１２０によりフィルタ素子を構成する。【選択図】  図１
2006140799.tif 000002
【特許請求の範囲】
【請求項１】
基板の少なくとも一方の面に、ともに帯状をなす一対の第１導体と第２導体とを所定の間隔をもって隣接して螺旋状に形成してなる平面コイル素子を備えていることを特徴とするフィルタ素子。
【請求項２】
上記基板の一方の面側に設けられている上記平面コイル素子を第１平面コイル素子として、上記基板の他方の面側にも上記第１平面コイル素子とパターン形状が実質的に同一である第２平面コイル素子が設けられていることを特徴とする請求項１に記載のフィルタ素子。
【請求項３】
上記各平面コイル素子に含まれている第１導体同士および第２導体同士がそれぞれ対向的に配置されていることを特徴とする請求項２に記載のフィルタ素子。
【請求項４】
上記第１平面コイル素子に含まれている第１導体と上記第２平面コイル素子に含まれている第２導体とが対向的に配置され、上記第１平面コイル素子に含まれている第２導体と上記第２平面コイル素子に含まれている第１導体とが対向的に配置されていることを特徴とする請求項２に記載のフィルタ素子。
【請求項５】
上記第１平面コイル素子と上記第２平面コイル素子とが、一方の上記平面コイル素子に含まれている上記第１導体が他方の上記平面コイル素子に含まれている第１導体と第２導体の間に位置するように相対的にずらされていることを特徴とする請求項２に記載のフィルタ素子。
【請求項６】
上記第１導体を信号導体とし、上記第２導体を接地導体として、上記信号導体が上記接地導体の内側に配置される場合、上記信号導体の外終端が信号入力端子，内周端が信号出力端子として選択され、かつ、上記接地導体が上記信号導体の外終端側信号入力端子の位置から内周端側に向ってほぼ１／２ターンずれた位置で接地に接続されることを特徴とする請求項１ないし５のいずれか１項に記載のフィルタ素子。
【請求項７】
上記第１導体を信号導体とし、上記第２導体を接地導体として、上記信号導体が上記接地導体の外側に配置される場合、上記信号導体の内終端が信号入力端子，外周端が信号出力端子として選択され、かつ、上記接地導体が上記信号導体の内終端側信号入力端子の位置から外周端側に向かってほぼ１／２ターンずれた位置で接地に接続されることを特徴とする請求項１ないし５のいずれか１項に記載のフィルタ素子。
【請求項８】
上記基板が上記平面コイル素子のコイル中心部分を貫通するセンターコアを備えている磁性体からなるハウジング内に収納されていることを特徴とする請求項１ないし７のいずれか１項に記載のフィルタ素子。
【請求項９】
上記ハウジングが高抵抗の磁性体からなり、上記基板が上記ハウジングの一部分を形成していることを特徴とする請求項８に記載のフィルタ素子。
【請求項１０】
上記ハウジング内には上記第１導体と上記第２導体との間を含めて絶縁材が充填されていることを特徴とする請求項８または９に記載のフィルタ素子。
【請求項１１】
上記絶縁材に高抵抗率の磁性フェライトが用いられることを特徴とする請求項１０に記載のフィルタ素子。
【発明の詳細な説明】
【技術分野】
【０００１】
本発明は、電源ラインや信号伝送系などのノイズ除去（減衰）用として好適なフィルタ素子に関し、さらに詳しく言えば、基板上で第１導体と第２導体とを螺旋状に巻回してなる平面コイル素子を有するフィルタ素子に関するものである。
【背景技術】
【０００２】
ノイズ低減用のフィルタ素子については多くの提案がなされているが、そのうちの特許文献１に記載の分布定数型フィルタ素子においては、図９に示すように、内部誘電体層１３内に平行導体ライン１１，１２を上下一対として配線するとともに、内部誘電体層１３の上下両面に磁性体と誘電層の複合体１４，１５を介して接地導体１８，１９を積層するようにしている。
【０００３】
このフィルタ素子によれば、磁性体を備えているため、分布インダクタンスが大きくなるとともに、２本の平行導体ライン１１，１２の結合係数が大きくなるので、特にコモンモード信号に対する特性インピーダンスを大きく設定することができる。また、コモンモード動作時は、平衡モード動作時と比較して磁性体の磁束密度が遙かに高くことになることにより磁束損失が大幅に増大し、さらには平行導体ライン１１，１２を鎖交する高周波磁束も増大するため導体のうず電流損失も増大する。
【０００４】
このため、コモンモード信号を広い周波数範囲にわたって抑制することが可能になる。したがって、平衡モード信号を効率よく通過させつつ不平衡で生ずるコモンモード信号を大幅に除去することができる。また、このフィルタ素子は、４００ＭＨｚ以上のきわめて高い周波数のノイズ除去に適した特性を有している。
【０００５】
しかしながら、上記特許文献１のフィルタ素子にあっては、平行導体ライン１１，１２と接地導体１８，１９との間に磁性体と誘電層の複合体１４，１５が配置される構成であるため、平行導体ライン１１，１２と接地導体１８，１９との間に形成される分布容量は複合体１４，１５の誘電率に左右される。
【０００６】
したがって、分布定数型回路として機能するフィルタ素子の分布インダクタンスの値と分布容量の値とを独立して設定することができないため、所望とする特性インピーダンスを有するフィルタ素子の実現が困難である。
【０００７】
そこで、本出願人は、フィルタ設計を容易にしつつ所望とする特性インピーダンスが容易得られるようにした分布定数型フィルタ素子を特許文献２として提案しており、その構成を図１０に示す。
【０００８】
このフィルタ素子１は、入力端子５，出力端子６および接地側端子７を有するフィルタ素子であって、一端側が入力端子５に接続されるとともに他端側が出力端子６に接続される平面状のスパイラルコイル２と、切り込み４ｂにより外縁側と連通する中心孔４ａを有し、非磁性材からなる誘電体３を介してスパイラルコイル２の上下両面に配置されて接地側端子７に接続される一対の接地側電極４，４と、スパイラルコイル２の周囲に形成される磁路の少なくとも一部分に配設される磁性体８とを備えている。
【０００９】
【特許文献１】特開２００２−８４１５７号公報
【特許文献２】特開２００４−１７３１５７号公報
【発明の開示】
【発明が解決しようとする課題】
【００１０】
上記特許文献２のフィルタ素子によれば、各接地側電極４，４とスパイラルコイル２との間に磁性体を介在させることなく誘電体３のみを介在させているため、その誘電体３の材質や厚みを変えることにより、分布インダクタンスとは別個に独立して分布容量を設定することができる。
【００１１】
しかしながら、接地側電極４，４がスパイラルコイル２に含まれる信号導体に対して共通に配置されており、しかも接地側電極４，４を擬似的コイルとして見た場合わずか１ターン分しかないため、スパイラルコイル２に含まれる信号導体に対する電位分布がほぼ一様であり偏りがあまりない。したがって、ノイズを減衰し得るにしても、その周波数範囲が限られてしまう。
【００１２】
したがって、本発明の課題は、広い周波数範囲にわたって大きなノイズ減衰特性を有するフィルタ素子を提供することにある。
【課題を解決するための手段】
【００１３】
上記課題を解決するため、請求項１に記載の発明は、基板の少なくとも一方の面に、ともに帯状をなす一対の第１導体と第２導体とを所定の間隔をもって隣接して螺旋状に形成してなる平面コイル素子を備えていることを特徴としている。
【００１４】
請求項２に記載の発明は、上記請求項１において、上記基板の一方の面側に設けられている上記平面コイル素子を第１平面コイル素子として、上記基板の他方の面側にも上記第１平面コイル素子とパターン形状が実質的に同一である第２平面コイル素子が設けられていることを特徴としている。
【００１５】
請求項３に記載の発明は、上記請求項２において、上記各平面コイル素子に含まれている第１導体同士および第２導体同士がそれぞれ対向的に配置されていることを特徴としている。
【００１６】
請求項４に記載の発明は、上記請求項２において、上記第１平面コイル素子に含まれている第１導体と上記第２平面コイル素子に含まれている第２導体とが対向的に配置され、上記第１平面コイル素子に含まれている第２導体と上記第２平面コイル素子に含まれている第１導体とが対向的に配置されていることを特徴としている。
【００１７】
請求項５に記載の発明は、上記請求項２において、上記第１平面コイル素子と上記第２平面コイル素子とが、一方の上記平面コイル素子に含まれている上記第１導体が他方の上記平面コイル素子に含まれている第１導体と第２導体の間に位置するように相対的にずらされていることを特徴としている。
【００１８】
請求項６に記載の発明は、上記請求項１ないし５のいずれか１項において、上記第１導体を信号導体とし、上記第２導体を接地導体として、上記信号導体が上記接地導体の内側に配置される場合、上記信号導体の外終端が信号入力端子，内周端が信号出力端子として選択され、かつ、上記接地導体が上記信号導体の外終端側信号入力端子の位置から内周端側に向ってほぼ１／２ターンずれた位置で接地に接続されることを特徴としている。
【００１９】
請求項７に記載の発明は、上記請求項１ないし５のいずれか１項において、上記第１導体を信号導体とし、上記第２導体を接地導体として、上記信号導体が上記接地導体の外側に配置される場合、上記信号導体の内終端が信号入力端子，外周端が信号出力端子として選択され、かつ、上記接地導体が上記信号導体の内終端側信号入力端子の位置から外周端側に向かってほぼ１／２ターンずれた位置で接地に接続されることを特徴としている。
【００２０】
請求項８に記載の発明は、上記請求項１ないし７のいずれか１項において、上記基板が上記平面コイル素子のコイル中心部分を貫通するセンターコアを備えている磁性体からなるハウジング内に収納されていることを特徴としている。
【００２１】
請求項９に記載の発明は、上記請求項８において、上記ハウジングが高抵抗の磁性体からなり、上記基板が上記ハウジングの一部分を形成していることを特徴としている。
【００２２】
請求項１０に記載の発明は、上記請求項８または９において、上記ハウジング内には上記第１導体と上記第２導体との間を含めて絶縁材が充填されていることを特徴としている。
【００２３】
請求項１１に記載の発明は、上記請求項１０において、上記絶縁材に高抵抗率の磁性フェライトが用いられることを特徴としている。
【発明の効果】
【００２４】
上記請求項１に記載の発明よれば、一対の第１導体と第２導体とが平面コイル素子として所定の間隔をもって隣接して螺旋状に形成されていることにより、第１導体と第２導体との結合容量が大きく、しかも第２導体を接地側とした場合、その電位は一様ではなく部分的に異なる電位をもつため、広い周波数範囲にわたって大きなノイズ減衰特性を発揮するフィルタ素子が得られる。また、平面コイル素子であるため、デバイスの低背化が図れる。
【００２５】
基板の両面にパターン形状が実質的に同一である第１平面コイル素子と第２平面コイル素子を設ける請求項２に記載の発明によれば、広い周波数範囲にわたって大きなノイズ減衰特性を発揮するコモンモードノイズフィルタが得られる。
【００２６】
各平面コイル素子に含まれている第１導体同士および第２導体同士を対向的に配置する請求項３に記載の発明によれば、第１導体と第２導体間で生ずる結合容量をより大きなものとすることができる。
【００２７】
また、第１平面コイル素子に含まれている第１導体と第２平面コイル素子に含まれている第２導体とを対向的に配置し、第１平面コイル素子に含まれている第２導体と第２平面コイル素子に含まれている第１導体とを対向的に配置する請求項４に記載の発明によっても、第１導体と第２導体間で生ずる結合容量をより大きなものとすることができる。
【００２８】
同様に、第１平面コイル素子と第２平面コイル素子とを一方の上記平面コイル素子に含まれている第１導体が他方の平面コイル素子に含まれている第１導体と第２導体の間に位置するように相対的にずらす請求項５に記載の発明によれば、第１導体と第２導体間で生ずる結合容量をより大きなものとすることができる。
【００２９】
第１導体（信号導体）が第２導体（接地導体）の内側に配置される場合、信号導体の外終端を信号入力端子，内周端を信号出力端子として選択し、かつ、接地導体を信号導体の外終端側信号入力端子の位置から内周端側に向ってほぼ１／２ターンずれた位置で接地に接続する請求項６に記載の発明によれば、広い周波数範囲にわたってより効果的にノイズを減衰することができる。
【００３０】
また、第１導体（信号導体）が第２導体（接地導体）の外側に配置される場合、信号導体の内終端を信号入力端子，外周端を信号出力端子として選択し、かつ、接地導体を信号導体の内終端側信号入力端子の位置から外周端側に向かってほぼ１／２ターンずれた位置で接地に接続する請求項７に記載の発明によっても、広い周波数範囲にわたってより効果的にノイズを減衰することができる。
【００３１】
基板を平面コイル素子のコイル中心部分を貫通するセンターコアを備えている磁性体からなるハウジング内に収納する請求項８に記載の発明によれば、コイルのインダクタスをより大きくすることができる。
【００３２】
平面コイル素子を収納するハウジングが高抵抗の磁性体からなり、平面コイル素子形成用の基板をハウジングの一部分とする請求項９に記載の発明によれば、特に基板を用意する必要がないため、部品点数の削減とより一層の低背化を図ることができる。
【００３３】
ハウジング内に第１導体と第２導体との間を含めて絶縁材を充填する請求項１０に記載の発明によれば、第１導体と第２導体間の分布容量をより大きくすることができる。
【００３４】
上記絶縁材に高抵抗率の磁性フェライトを用いる請求項１１に記載の発明によれば、磁性フェライトがもつ磁性体特性と誘電体特性とにより、分布容量と分布インダクタンスとを増強することができる。
【発明を実施するための最良の形態】
【００３５】
次に、図１ないし図６により、本発明のいくつかの実施形態を説明するが、本発明はこれに限定されるものではない。
【００３６】
まず、図１および図２を参照して、本発明の第１実施形態に係るフィルタ素子について説明する。図１はフィルタ素子の内部構造を模式的に示す断面図で、図２（ａ）（ｂ）は平面コイル素子に含まれている導体パターンの２例を示す模式的な平面図である。
【００３７】
この第１実施形態に係るフィルタ素子１００はノーマルモードノイズフィルタで、片面に平面コイル素子１２０が形成された基板１１０と、基板１１０を収納する外装体としての磁性体（例えばフェライト材）からなるハウジング１３０とを備えている。なお、ハウジング１３０がない場合でもフィルタとして機能するため、本発明においてハウジング１３０は採用されることが好ましい存在の構成要件である（後述する別の実施形態においても同様）。
【００３８】
平面コイル素子１２０には、信号導体パターン１２１と接地導体パターン１２２とが含まれ、これら導体パターン１２１，１２２は、基板１１０の片面側において所定の間隔を保ちながら隣接して配置され、ともに帯状のパターンとして螺旋状に形成されている。なお、この実施形態の説明において、信号導体パターン１２１が請求項における第１導体に相当し、接地導体パターン１２２が請求項における第２導体に相当する。
【００３９】
ハウジング１３０には、上下に分割して形成された底部側ハウジングメンバー１３１と蓋側ハウジングメンバー１３３とが含まれ、平面コイル素子１２０のコイル中心と対応する各中央部分にセンタコア１３５を構成するボス１３２，１３４が形成される。このようなハウジング１３０を備えることにより、コイルのインダクタンスをより大きくすることができる。
【００４０】
基板１１０には一般的なプリント配線基板を用いることができ、その場合には信号導体パターン１２１と接地導体パターン１２２は、エッチングもしくはフォトリソなどにて銅箔により形成されるが、これとは別に銀やアルミニウムから形成されてもよい。
【００４１】
なお、ハウジング１３０が高抵抗の磁性体からなる場合には、基板１１０を用いることなく、例えば底部側ハウジングメンバー１３１に信号導体パターン１２１と接地導体パターン１２２を直接的に形成することもできる。また、信号導体パターン１２１と接地導体パターン１２２は同幅であってもよいが、配線抵抗を少なくする場合には、信号導体パターン１２１の幅を接地導体パターン１２２よりも広くすればよい。
【００４２】
平面コイル素子１２０のコイルの巻き方には、図２（ａ）に示すように、接地導体パターン１２２を外側とし、信号導体パターン１２１をその内側として螺旋状に巻回する第１の方法と、これとは反対に、図２（ｂ）に示すように、信号導体パターン１２１を外側とし、接地導体パターン１２２をその内側として螺旋状に巻回する第２の方法とがあるが、本発明において、上記第１の方法と第２の方法とでは、信号の入出力端子の位置および接地導体パターンの接地箇所が異なる。
【００４３】
すなわち、図２（ａ）の第１の方法による場合には、信号導体パターン１２１の外周端を信号入力端子ＩＮとし、内周端を信号出力端子ＯＵＴにするとともに、接地導体パターン１２２の接地箇所を信号導体パターン１２１の外終端側の信号入力端子ＩＮの位置から内周端側に向ってほぼ１／２ターンずれた位置Ａとする。
【００４４】
これに対して、図２（ｂ）の第２の方法による場合には、信号導体パターン１２１の内周端を信号入力端子ＩＮとし、外周端を信号出力端子ＯＵＴにするとともに、接地導体パターン１２２の接地箇所を信号導体パターン１２１の内終端側の信号入力端子ＩＮの位置から外周端側に向ってほぼ１／２ターンずれた位置Ｂとする。
【００４５】
このようにして、本発明によれば、フィルタ素子の性能および特性を損なうことなく接地導体パターン１２２の接地箇所を一義的に特定することができる。また、信号導体パターン１２１と接地導体パターン１２２とが、そのパターン全長にわたって隣接して配置されているためインダクタンスとキャパシタンスとが同時に存在し、しかも接地導体パターン１２２の電位は一様ではなく部分的に異なる電位をもつため、広い周波数範囲にわたって大きなノイズ減衰特性を発揮する分布定数型フィルタ素子が得られる。
【００４６】
次に、図３を参照して、信号導体パターンを２つ備えるコモンモードノイズフィルタとした本発明の第２実施形態に係るフィルタ素子２００について説明する。このフィルタ素子２００は、コモンモードノイズフィルタであることから、基板１１０の両面に平面コイル素子を備えている。
【００４７】
この第２実施形態における各平面コイル素子は、上記第１実施形態で説明した平面コイル素子１２０と同じ構成であってよいため、基板１１０の上面側の第１平面コイル素子に参照符号１２０ａを付し、それに含まれる信号導体パターンおよび接地導体パターンの参照符号を１２１ａ，１２２ａとする。また、基板１１０の下面側の第２平面コイル素子に参照符号１２０ｂを付し、それに含まれる信号導体パターンおよび接地導体パターンの参照符号を１２１ｂ，１２２ｂとする。なお、ハウジング１３０は上記第１実施形態のものをそのまま使用できる。
【００４８】
このフィルタ素子２００において、第１平面コイル素子１２０ａと第２平面コイル素子１２０ｂは、信号導体パターン１２１ａ，１２１ｂ同士、接地導体パターン１２２ａ，１２２ｂ同士がそれぞれ基板１１０を挟んで位置的に重なるように配置される。
【００４９】
そのため、第１平面コイル素子１２０ａが図２（ａ）の第１の方法による巻き方であれば、第２平面コイル素子１２０ｂも同じく図２（ａ）の第１の方法による巻き方が選択され、第１平面コイル素子１２０ａが図２（ｂ）の第２の方法による巻き方であれば、第２平面コイル素子１２０ｂも同じく図２（ｂ）の第２の方法による巻き方が選択される。
【００５０】
これによれば、各平面コイル素子１２０ａ，１２０ｂ内においては、上記第１実施形態で説明したのと同じく、信号導体パターン１２１ａ，接地導体パターン１２２ａ間、信号導体パターン１２１ｂ，接地導体パターン１２２ｂ間でそれぞれ分布容量が生じることに加えて、各平面コイル素子１２０ａ，１２０ｂ間では、信号導体パターン１２１ａ，１２１ｂ間においても分布容量が発生することになる。
【００５１】
なお、例えば一方の平面コイル素子１２０ａが図２（ａ）の第１の方法による巻き方で、他方の平面コイル素子１２０ｂが図２（ｂ）の第２の方法による巻き方である場合には、同相信号同士が打ち消されることになるため、これは本発明にとって禁止事項である。
【００５２】
第２実施形態の変形例として、図４に示すように、第１平面コイル素子１２０ａと第２平面コイル素子１２０ｂの位置を相対的ずらしてもよい。すなわち、第１平面コイル素子１２０ａ側の信号導体パターン１２１ａ，接地導体パターン１２２ａがともに、第２平面コイル素子１２０ｂ側の信号導体パターン１２１ｂと接地導体パターン１２２ｂとの中間に位置し、好ましくはそれらパターン１２１ｂ，１２２ｂ間に跨るような線幅とする。
【００５３】
これによると、第１平面コイル素子１２０ａ側の信号導体パターン１２１ａを例にして言えば、信号導体パターン１２１ａと信号導体パターン１２１ｂとの間，信号導体パターン１２１ａと接地導体パターン１２２ｂとの間の各々においても分布容量成分が生ずるため、より広い周波数範囲にわたって大きなノイズ減衰率をもつフィルタ素子の設計が可能となる。
【００５４】
また、第２実施形態の別の変形例として、図５に示すように、第１平面コイル素子１２０ａの信号導体パターン１２１ａと第２平面コイル素子１２０ｂの接地導体パターン１２２ｂとが基板１１０を挟んで位置的に重なるとともに、第１平面コイル素子１２０ａの接地導体パターン１２２ａと第２平面コイル素子１２０ｂの信号導体パターン１２１ｂとが基板１１０を挟んで位置的に重なるように、第１平面コイル素子１２０ａと第２平面コイル素子１２０ｂの位置を相対的ずらすこともできる。
【００５５】
ただし、この場合には、第１平面コイル素子１２０ａと第２平面コイル素子１２０ｂはともに、上記したように図２（ａ）もしくは図２（ｂ）のいずれか一方の巻き方であることが条件とされるため若干の工夫が必要となる。これを図６により説明する。
【００５６】
図６（ａ）は第１平面コイル素子１２０ａを示しており、この例で第１平面コイル素子１２０ａは図２（ａ）の第１の方法によるコイル巻き方とされている。したがって、第２平面コイル素子１２０ｂも図２（ａ）の第１の方法によるコイル巻き方とする必要があるが、この例では第２平面コイル素子１２０ｂを図６（ｂ）に示すように、図６（ａ）の第１平面コイル素子１２０ａに対して左右方向に１８０゜反転したパターンとする。
【００５７】
そして、例えば第１平面コイル素子１２０ａの接地位置Ａが第２平面コイル素子１２０ｂの位置Ｃ上に位置するように、第１平面コイル素子１２０ａを平行移動させて第２平面コイル素子１２０ｂに重ねて、図６（ｃ）に示すように、第２平面コイル素子１２０ｂに対して第１平面コイル素子１２０ａが左下４５゜方向に向けて１パターン分ずれた状態とする。
【００５８】
これにより、図５に示すように、第１平面コイル素子１２０ａの接地導体パターン１２２ａと第２平面コイル素子１２０ｂの信号導体パターン１２１ｂとが対向するとともに、第１平面コイル素子１２０ａの信号導体パターン１２１ａと第２平面コイル素子１２０ｂの接地導体パターン１２２ｂとが対向することになり、信号導体パターンと接地導体パターンとの間で大きな分布容量を得ることができる。
【００５９】
上記第１および上記第２実施形態によるフィルタ素子１００，２００において、信号導体パターンと接地導体パターンとの間の分布容量をより大きくするうえで、ハウジング１３０内に誘電率の高い絶縁材１４０を充填することが好ましい。
【００６０】
絶縁材１４０は合成樹脂でもよいが、抵抗率の高い磁性フェライト（例えば、Ｎｉ−Ｚｎフェライト粉を樹脂で固めたもの）を用いることが好ましい。この種の磁性フェライトは磁性体特性と誘電体特性とを合わせ持つことから、分布インダクタンスと分布容量の増大に寄与する。
【実施例】
【００６１】
〔実施例１〕
本発明の実施例１として、図３に示す第２実施形態にしたがってフィルタ素子を作製した。第１および第２の各平面コイル素子に含まれる信号導体パターンおよび接地導体パターンはともに７ターンで、その巻き方は図２（ａ）の第１の方法により、接地導体パターンを外側，信号導体パターンを内側とし、それらの線間容量が３０ｐＦとなるようにパターン間ピッチを設計した。各平面コイル素子の内半径は５ｍｍ，外半径は１０ｍｍ。接地導体パターンの接地箇所はコイル外周端とした。ハウジングには、ＴＤＫ社製のＰＣ４０磁性体の切削加工ポットコアを使用した。ＡＤＶＡＮＴＥＳＴ社製のネットワークアナライザＲ３７６７ＣＧにて、この実施例１に係るフィルタ素子のＳ２１パラメータを測定した。そのグラフを図７（ａ）に示す。
【００６２】
〔実施例２〕
本発明の実施例２として、接地導体パターンの接地箇所を信号導体パターンの外終端側の信号入力端子の位置から内周端側に向ってほぼ１／２ターンずれた位置にしたほかは、上記第１実施例と同じとした。上記実施例１と同じ測定器にて、この実施例２に係るフィルタ素子のＳ２１パラメータを測定したグラフを図７（ｂ）に示す。
【００６３】
〔比較例１〕
本発明の比較例１として、図１０に示す態様のフィルタ素子を作製した。上記実施例１と条件が同じとなるように、スパイラルコイル（上記信号導体パターンに相当）は７ターンとし、そのスパイラルコイルと接地側電極間の容量が３０ｐＦとなるように設計した。スパイラルコイルの内半径は５ｍｍ，外半径は１０ｍｍ。ハウジングには、ＴＤＫ社製のＰＣ４０磁性体の切削加工ポットコアを使用した。上記実施例１と同じ測定器にて、この比較例１に係るフィルタ素子のＳ２１パラメータを測定したグラフを図８に示す。
【００６４】
まず、実施例１，２による図７（ａ）（ｂ）のグラフと、比較例１による図８のグラフを対比して明らかなように、本発明のフィルタ素子は比較例１のフィルタ素子に比べて、広い周波数範囲（特には、１０〜４００ＭＨ帯）にわたって大きな減衰率を示すことが分かる。
【００６５】
また、図７（ａ）と図７（ｂ）とを対比して明らかなように、接地導体パターンの接地箇所を信号導体パターンの外終端側の信号入力端子の位置から内周端側に向ってほぼ１／２ターンずれた位置に設定することにより、より大きな減衰率を得ることができる。
【図面の簡単な説明】
【００６６】
【図１】本発明の第１実施形態に係るフィルタ素子を模式的に示す断面図。
【図２】本発明において採用される平面コイル素子の２例を示す模式的な平面図。
【図３】本発明の第２実施形態に係るフィルタ素子を模式的に示す断面図。
【図４】上記第２実施形態の変形例の要部を示す模式図。
【図５】上記第２実施形態の別の変形例を模式的に示す断面図。
【図６】上記第２実施形態の別の変形例において第１，第２平面コイル素子の組み合わせを示す説明図。
【図７】（ａ）本発明の実施例１のＳ２１パラメータを測定したグラフ，（ｂ）本発明の実施例２のＳ２１パラメータを測定したグラフ。
【図８】比較例１のＳ２１パラメータを測定したグラフ。
【図９】第１従来例（特許文献１）の構成例を示す斜視図。
【図１０】第２従来例（特許文献２）の構成例を示す分解斜視図。
【符号の説明】
【００６７】
１００，２００  フィルタ素子
１１０  基板
１２０  平面コイル素子
１２０ａ  第１平面コイル素子
１２０ｂ  第２平面コイル素子
１２１，１２１ａ，１２１ｂ  信号導体パターン
１２２，１２２ａ，１２２ｂ  接地導体パターン
１３０  ハウジング
１３５  センターコア
１４０  絶縁材
Ａ，Ｂ  接地位置
ＩＮ  信号入力端子
ＯＵＴ  信号出力端子  
【図１】
2006140799.tif 000003
【図２】
2006140799.tif 000004
【図３】
2006140799.tif 000005
【図４】
2006140799.tif 000006
【図５】
2006140799.tif 000007
【図６】
2006140799.tif 000008
【図７】
2006140799.tif 000009
【図８】
2006140799.tif 000010
【図９】
2006140799.tif 000011
【図１０】
2006140799.tif 000012